(57)【要約】【課題】目的の異なる健康サービスを受ける際に、共通的な情報を単一のユーザインタフェースで実現する。【解決手段】生体情報を管理する利用者情報管理手段を有し、この利用者情報管理手段で管理される生体情報の入力や推移グラフ表示等の機能を提供する共通プログラム５と、前記共通プログラム５を利用して個別の機能を利用者に提供する複数の個別プログラムとを設けることによって、健康に関して利用者が複数の異なる目的を持つ場合、それらに対応する個別プログラムを個々に利用するが、共通に必要な生体情報については共通プログラム５で管理し、利用者が一度だけ入力すれば個々の個別プログラムがそれを利用して個々の目的に応じたサービスを実現する。【選択図】　図１
2004133669.tif 000002
【特許請求の範囲】
【請求項１】
身長、体重、体脂肪率、血圧値、心拍数、心電図、尿糖値、血糖値、コレステロール値のうち少なくとも一つの生体情報を管理する利用者情報管理手段を有し、この利用者情報管理手段で管理される生体情報の入力や推移グラフ表示等の機能を提供する共通プログラムと、前記共通プログラムを利用して個別の機能を利用者に提供する複数の個別プログラムとから構成される健康情報サービス装置。
【請求項２】
利用者情報管理手段は、利用者の生体情報とともに生体情報以外の利用者の情報を管理する構成とした請求項１記載の健康情報サービス装置。
【請求項３】
個別プログラムは、その固有の目的に応じて利用者情報管理手段で管理されている以外の利用者の生体情報、主観申告情報、属性情報のうち少なくとも一つを管理する構成とした請求項１または２項記載の健康情報サービス装置。
【請求項４】
共通プログラムは、個別プログラム利用度管理手段を設け、個別プログラムが利用者に利用される度合いを個々の個別プログラム毎に管理する構成とした請求項１〜３のいずれか一項記載の健康情報サービス装置。
【請求項５】
個別プログラム利用度管理手段は、個々の個別プログラム毎に利用者の人数をカウントする構成とした請求項４記載の健康情報サービス装置。
【請求項６】
個別プログラム利用度管理手段は、個々の個別プログラム毎に利用者のアクセス回数をカウントする構成とした請求項４記載の健康情報サービス装置。
【請求項７】
個別プログラム利用度管理手段は、個別プログラムの利用度合いに基づいて個々の個別プログラム毎に利用ポイントを付与し、個々の個別プログラムの利用ポイントを演算ならびに管理する構成とした請求項４〜６のいずれか一項記載の健康情報サービス装置。
【請求項８】
共通プログラムは、利用者情報管理手段に管理されている利用者の生体情報に基づいて個々の個別プログラムの利用に対応した生体情報を解析し、個々の個別プログラム毎に健康効果を評価する個別プログラム健康効果評価手段を設けた構成とした請求項１〜７のいずれか一項記載の健康情報サービス装置。
【請求項９】
個別プログラム健康効果評価手段は、個別プログラムの健康効果に基づいて個々の個別プログラム毎に健康効果ポイントを付与し、個々の個別プログラムの健康効果ポイントを演算ならびに管理する構成とした請求項８記載の健康情報サービス装置。
【請求項１０】
請求項１〜９のいずれか一項記載の健康情報サービス装置の全てもしくは一部をコンピュータに実行させるプログラム。
【発明の詳細な説明】
【０００１】
【発明の属する技術分野】
本発明は、利用者の生体情報に基づいてサービスを提供する健康情報サービス装置に関するものである。
【０００２】
【従来の技術】
従来のこの種の健康情報サービス装置としては、例えば特許文献１に記載されているものがあった。図１３は前記公報に記載された従来の健康情報サービス装置の概略構成を示すものである。
【０００３】
図１３において、ダイエットプログラム１が実装されたサーバ２と、利用者側でダイエットプログラム１を利用するための携帯端末装置３と、前記サーバ２と携帯端末装置３との間で通信をおこなうための通信ネットワーク手段４とから構成される。
【０００４】
これにより、ダイエットという目的に即したプログラムが設定された手順に基づいて実行される。
【０００５】
【特許文献１】
特開２００２−１２３６１５号公報
【０００６】
【発明が解決しようとする課題】
しかしながら上記従来の構成は、ダイエットという目的を達成したい利用者に適切な手段を提供するが、その利用者が健康に対して他の目的を併せ持っている場合、別のプログラムを提供するサービスを新たに受ける必要がある。別のサービスを受けることになると、それを実現しているシステムが異なるので、使用する機器やその機器の使い勝手ならびにプログラム自体のユーザインタフェースが異なることから、ひとつひとつ学習しなければならなかったり、さらには入力項目についてもダイエットで入力した体重データを、たとえば糖尿病を予防するためのプログラムを利用したときに重複して入力しなければならなかったりというように利用者の利用者の負担は大きいものとなり、これらを解消しなければならないという課題があった。
【０００７】
本発明は、上記従来の課題を解決するもので、利用者が異なるシステムを使いこなさなければならない不便さや心理的負担、あるいは複数のプログラムで同じ情報を入力しなければならない煩雑さを解消することを目的とする。
【０００８】
【課題を解決するための手段】
本発明は上記課題を解決するため、生体情報を管理する利用者情報管理手段を有し、この利用者情報管理手段で管理される生体情報の入力や推移グラフ表示等の機能を提供する共通プログラムと、前記共通プログラムを利用して個別の機能を利用者に提供する複数の個別プログラムとを設けたものである。
【０００９】
これによって、健康に関して利用者が複数の異なる目的を持つ場合、それらに対応する個別プログラムを個々に利用するが、共通に必要な生体情報については共通プログラムで管理し、利用者が一度だけ入力すれば個々の個別プログラムがそれを利用して個々の目的に応じたサービスを実現する。
【００１０】
【発明の実施の形態】
請求項１に記載の発明は、身長、体重、体脂肪率、血圧値、心拍数、心電図、尿糖値、血糖値、コレステロール値のうち少なくとも一つの生体情報を管理する利用者情報管理手段を有し、この利用者情報管理手段で管理される生体情報の入力や推移グラフ表示等の機能を提供する共通プログラムと、前記共通プログラムを利用して個別の機能を利用者に提供する複数の個別プログラムとから構成することにより、健康管理や維持増進に共通的に必要な生体情報の入力、管理、データ表示を共通プログラムがおこない、個々の目的に応じて作成される個別プログラムは共通プログラムの機能を利用してサービスおこなうので、利用者は生体情報の入力作業などを一度だけおこなえば、必要に応じて健康に関する様々な個別プログラムを利用することができる。
【００１１】
請求項２に記載の発明は、利用者情報管理手段は、利用者の生体情報とともに生体情報以外の利用者の情報を管理する構成とすることにより、健康に関わるサービスをいくつかの個別プログラムを利用したい場合に、氏名、住所をはじめとする様々な属性データ等を利用者情報管理手段に一度だけ登録しておけば、異なる個別プログラムによるサービスを面倒な登録作業なしに受けることができるという効果が得られる。
【００１２】
請求項３に記載の発明は、個別プログラムは、その固有の目的に応じて利用者情報管理手段で管理されている以外の利用者の生体情報、主観申告情報、属性情報のうち少なくとも一つを管理する構成とすることにより、共通的な生体情報には含まれない個別プログラム特有の生体情報や利用者へのアンケートなどによる申告情報、または特殊な属性情報については個々の個別プログラムで入力とその管理をおこなうので、共通プログラムの負荷が過大とならず、また、他の個別プログラムではほとんど利用されることのない情報について、それを必要としない利用者が入力することもなく、柔軟なプログラム構成が実現できる。
【００１３】
請求項４に記載の発明は、共通プログラムは、個別プログラム利用度管理手段を設け、個別プログラムが利用者に利用される度合いを個々の個別プログラム毎に管理する構成とすることにより、個々の個別プログラム毎にそれがどの程度利用者に利用されているかを評価するとともに、個別プログラム間で比較することができる。
【００１４】
請求項５に記載の発明は、個別プログラム利用度管理手段は、個々の個別プログラム毎に利用者の人数をカウントする構成とすることにより、個別プログラム利用を利用者数として簡易に利用度合いを評価できるという効果がある。
【００１５】
請求項６に記載の発明は、個別プログラム利用度管理手段は、個々の個別プログラム毎に利用者のアクセス回数をカウントする構成とすることにより、実質的に利用されている度合いを評価できるという効果がある。
【００１６】
請求項７に記載の発明は、個別プログラム利用度管理手段は、個別プログラムの利用度合いに基づいて個々の個別プログラム毎に利用ポイントを付与し、個々の個別プログラムの利用ポイントを演算ならびに管理する構成とすることにより、利用される度合いの高い個別プログラムに対してポイントを加算するなどし、それに基づいてその個別プログラムの作成者や提供者に対して報酬を与えるなどの基準とすることにより、より利用者に支持される個別プログラムを提供する動機とすることができる。
【００１７】
請求項８に記載の発明は、共通プログラムは、利用者情報管理手段に管理されている利用者の生体情報に基づいて個々の個別プログラムの利用に対応した生体情報を解析し、個々の個別プログラム毎に健康効果を評価する個別プログラム健康効果評価手段を設けた構成とすることにより、実際に利用者が個別プログラムを利用して効果を上げたかどうかを評価するとともに、個別プログラム間で比較することができる。
【００１８】
請求項９に記載の発明は、個別プログラム健康効果評価手段は、個別プログラムの健康効果に基づいて個々の個別プログラム毎に健康効果ポイントを付与し、個々の個別プログラムの健康効果ポイントを演算ならびに管理する構成とすることにより、健康効果の高い個別プログラムに対してポイントを加算するなどし、それに基づいてその個別プログラムの作成者や提供者に対して報酬を与えるなどの基準とすることにより、より利用者が健康を獲得できる優れた個別プログラムを提供する動機とすることができる。
【００１９】
請求項１０に記載の発明は、請求項１〜９のいずれか１項記載の生体消費熱量データ管理装置の全てもしくは一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００２０】
【実施例】
以下、本発明の実施例について図面を参照しながら説明する。
【００２１】
図１は本発明の実施例の構成を示す図である。
【００２２】
サービスを提供するサーバ２と、利用者がサービスを受けるために用いる携帯端末装置３と、サーバ２と携帯端末装置３との間で情報を伝達するためのインターネット等の通信ネットワーク手段４とから構成される。サーバ２には、共通プログラム５と、複数の個別プログラムとしてのウォーキングプログラム６、ダイエットプログラム７、糖尿病予防プログラム８、フィットネスプログラム９、食生活サポートプログラム１０が設けられている。前記共通プログラム５には利用者の属性を入力する属性入力手段１１、入力された属性情報を管理する属性情報管理手段１２、生態情報を入力する生体情報入力手段１３、入力された生体情報を管理する生体情報管理手段１４、生体情報管理手段１４の内容から任意の生体情報をグラフ化する生体情報グラフ化手段１５を設ける。さらに共通プログラム５には、複数の個別プログラムの利用度合いを管理するために、利用者数カウント手段１６およびアクセス回数カウント手段１７とこれらに基づいて利用ポイントを演算管理する利用ポイント演算管理手段１８を有する個別プログラム利用度管理手段１９と、個別プログラム毎に達成できた健康効果を評価するために、健康効果ポイント演算管理手段２０を有する個別プログラム健康効果評価手段２１を設けている。また、個別プログラムとしてのダイエットプログラム７には、この個別プログラム固有の情報として利用者の生活状態の主観申告情報を入力、管理するための生活状態申告情報入力管理手段２２を設け、糖尿病予防プログラム８には同様の意味合いで定期健診情報入力管理手段２３を設けている。
【００２３】
以上の構成において、動作を図２〜図１２を用いて説明する。
【００２４】
図２は利用者の携帯端末装置３に表示される属性入力手段１１の画面であり、利用者はこの入力画面を利用してサービス利用の登録をおこなう。登録が完了すると、図３に示す利用者毎のトップページが表示される。なお、マイサービスとは利用者が選択して利用している個別プログラムのリストであり、この利用者はダイエットプログラム７と糖尿病予防プログラム８を現在利用していることを示している。
【００２５】
図４は、登録された利用者の属性情報を管理する属性情報管理手段１２の内容を示す図である。図２の入力項目に対応して、利用者Ｎｏ．、利用者名、ニックネーム、性別、生年月日、郵便番号、住所、携帯電話番号、メールアドレス、電話番号が管理されている。また、利用者はサービス利用登録後、任意に個別プログラムを選択してサービスを受けることができ、選択されている個別プログラムが利用者Ｎｏ．に対応して管理される。
【００２６】
図５は、生体情報入力手段１３の携帯端末装置３の画面であり、図３のメニューの「１．健康データ入力」を選択すると表示される。この画面から体重、体脂肪、歩数、血圧を携帯端末装置３のキーボードから入力し、画面の送信ボタンを押す操作で通信ネットワーク手段４を介してサーバ２に送信され、生体情報管理手段１４に記憶される。
【００２７】
図６は、生体情報管理手段１４の内容を示し、利用者毎に登録年月日と体重、体脂肪率、歩数、血圧の各生体情報が記憶されている。このように、記憶された生体情報を利用者が参照したいときには、図３のトップページの「２．健康データ表示」を選択すると、図７に示すように生体情報グラフ化手段１５の選択画面が表示される。
【００２８】
図７の画面から「１．体重、体脂肪」を選択すると、図８に示すように、一ヶ月の体重と体脂肪率の推移グラフが携帯端末装置３上に表示される。
【００２９】
以上が共通プログラム５の基本的な動作であるが、個別プログラムの動作について次に説明する。
【００３０】
図３の「マイサービス」の表示ならびに図４の利用個別プログラムの欄に登録されているように、の利用者Ｎｏ．０００１は、ダイエットプログラム７と、糖尿病予防プログラム８を現在利用している。ダイエットプログラム７には、この個別プログラム特有の機能として生活状態申告に関する内容があり、これは生活状態申告情報入力管理手段２２がおこなう。図９は、図３の「マイサービス」から「ダイエット」を選択したときに携帯端末装置３に表示されるダイエットプログラム７用のトップ画面と、「１．生活日記入力」を選択すると表示される生活状態申告のための入力画面である。これを利用者は携帯端末装置３のキーを使ってひとつずつチェックしていくことにより、ダイエットという目的に沿った生活状態の記録がなされていく。
【００３１】
図１０は、生活状態申告情報入力管理手段２２が、上記の入力の結果、記録された生活状態申告情報を管理している内容を示す。
【００３２】
このように、ダイエットを目的とした場合には、共通プログラム５で管理している情報以外の生活状態申告情報が必要で、ダイエットプログラム７で管理をする。そして、ダイエットプログラム７の「ダイエットトップページ」にあるように、「３．体重体脂肪グラフ」として、共通プログラム５で管理している生体情報を活用する。
【００３３】
詳細な説明は省略するが、糖尿病予防プログラム８の場合には特有の管理情報として家庭では測定し難い血液検査結果などの定期健診情報を利用者に入力させ、管理するための定期健診情報入力管理手段２３を設けている。この糖尿病予防においても重要な基本的な生体情報として体重、体脂肪率、血圧、および歩数について共通プログラム５の生体情報管理手段１４の情報を活用するということになる。
【００３４】
利用者Ｎｏ．０００１は、ダイエットプログラム７と糖尿病予防プログラム８の両方を利用しているが、それぞれに必要とされる前記の基本的な生体情報は共通プログラム５の生体情報入力手段１３で一度に済ませることができるため、多くの操作方法を覚える必要もなく、また操作の重複もないためきわめて利便性に優れる。
【００３５】
次に、各個別プログラムの利用度合いと健康効果の評価についての動作を説明する。各個別プログラムは、基本的な生体情報管理とその閲覧機能のみを備える共通プログラム５を用いて独自のサービスを利用者に提供するものであるが、それがどの程度利用されているか、また利用者の健康に対してどのような効果を上げているかを個別プログラム毎に評価する機能である。
【００３６】
個別プログラム利用度管理手段１９の利用者数カウント手段１６は、図４に示した属性情報管理手段１２に記憶された利用者の利用個別プログラムの情報から、個別プログラム毎に現在利用している利用者数を集計する。また、アクセス回数カウント手段１７は、当該個別プログラムを利用している利用者が実際にその個別プログラムにアクセスした回数を集計する。これら利用者数カウント手段１６とアクセス回数カウント手段１７の集計結果に基づいて、利用ポイント演算管理手段１８は、個々の個別プログラム毎に利用ポイントを与え、そのポイント数を管理する。
【００３７】
図１１に利用ポイント演算管理手段１８で管理されている内容を示す。毎月、集計し、その月に登録されている利用者数とその利用者がアクセスした回数をカウントし、利用ポイントを演算して各個別プログラムに付与する。
【００３８】
このようにして付与された利用ポイントは、個々の個別プログラムの人気を示すことになり、それぞれが競争することによってよりよいサービスとなっていく効果があること、さらに共通プログラム５と個別プログラムの運営者とがそれぞれ異なる場合に、ポイントの多寡によって共通プログラム５の運営者が各個別プログラムの運営者に便宜を図る度合いを変えるといったこともおこなうことができる。つまり、共通プログラム５の運営者はこの利用ポイントにより、個別プログラムの運営者に動機付けをおこない、全体としてより多くの利用者に利用されるサービスに育成することができる。
【００３９】
また、利用度合いと同様の考え方で、個別プログラム健康効果評価手段２０は、それぞれの個別プログラムがどれだけの健康効果を上げ得ているかを評価し、健康効果ポイント演算管理手段２１により、その内容を管理する。ただし、個別プログラム毎に目標とする内容が異なるので、本実施例では個々の個別プログラム毎に評価指標を設定し、それぞれの評価で健康効果ポイントを付与している。たとえば、ウォーキングプログラム６では目標歩数達成者割合、ダイエットプログラム７では体重減少達成者割合、糖尿病予防プログラム９では血糖値減少達成者割合である。
【００４０】
この健康効果ポイントについても、利用ポイントと同様、個別プログラムをよりよいものにしていく動機付けとして効果を上げるものである。
【００４１】
なお、この実施例においてその動作の全てもしくは一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００４２】
【発明の効果】
以上のように、本発明によれば、生体情報を管理する利用者情報管理手段を有し、この利用者情報管理手段で管理される生体情報の入力や推移グラフ表示等の機能を提供する共通プログラムと、前記共通プログラムを利用して個別の機能を利用者に提供する複数の個別プログラムとを設けたので、健康に関して利用者が複数の異なる目的を持ち、それらに対応する個別プログラムを個々に利用した場合、共通に必要な生体情報については共通プログラムで管理するため、利用者が一度だけ入力すれば個々の個別プログラムがそれを利用して個々の目的に応じた目的を達成するという実用上きわめて大きな効果が得られる。
【図面の簡単な説明】
【図１】本発明の実施例１における健康情報サービス装置の構成図
【図２】同属性情報手段による入力画面を示した図
【図３】同共通プログラムの利用者別画面のトップページを示した図
【図４】同属性情報管理手段の内容を示した図
【図５】同生体情報入力手段による入力画面を示した図
【図６】同生体情報管理手段の内容を示した図
【図７】同生体情報グラフ化手段の選択画面を示した図
【図８】同生体情報グラフ化手段によるグラフ表示画面を示した図
【図９】同個別プログラムとしてのダイエットプログラムのメニュー選択画面と生活状態申告情報入力管理手段による入力画面を示した図
【図１０】同生活状態申告情報入力管理手段が管理している情報の内容を示した図
【図１１】同利用ポイント演算管理手段が管理している内容を示した図
【図１２】同健康効果ポイント演算管理手段が管理している内容を示した図
【図１３】従来の健康情報サービス装置の構成図
【符号の説明】
２　サーバ
３　携帯端末装置
５　共通プログラム
６　個別プログラムとしてのウォーキングプログラム
７　個別プログラムとしてのダイエットプログラム
８　個別プログラムとしての糖尿病予防プログラム
９　個別プログラムとしてのフィットネスプログラム
１０　個別プログラムとしての食生活サポートプログラム
１１　属性情報入力手段
１２　利用者情報管理手段としての属性情報管理手段
１３　生体情報入力手段
１４　利用者情報管理手段としての生体情報管理手段
１５　生体情報グラフ化手段
１６　利用者数カウント手段
１７　アクセス回数カウント手段
１８　利用ポイント演算管理手段
１９　個別プログラム利用度管理手段
２０　健康効果ポイント演算管理手段
２１　個別プログラム健康効果評価手段
【図１】
2004133669.tif 000003
【図２】
2004133669.tif 000004
【図３】
2004133669.tif 000005
【図４】
2004133669.tif 000006
【図５】
2004133669.tif 000007
【図６】
2004133669.tif 000008
【図７】
2004133669.tif 000009
【図８】
2004133669.tif 000010
【図９】
2004133669.tif 000011
【図１０】
2004133669.tif 000012
【図１１】
2004133669.tif 000013
【図１２】
2004133669.tif 000014
【図１３】
2004133669.tif 000015